(57)【要約】【課題】  本発明は、顧客側が店内にある商品を購入する際の最終的な判断を下す時に有効となる商品供給側からの販売促進が可能なサービスシステムを提供することを目的とする。【解決手段】  本発明は、配信サーバであって、所定のサービス領域に対して電波信号を送出する手段と、上記電波信号を検知した携帯情報端末からアドレス要請を受け付ける手段と、上記アドレス要請に応じて前記携帯情報端末にアドレスを割り当てる手段と、上記割り当てたアドレス宛てに上記商品に係る情報群を配信する手段とを備える。【選択図】図１
2005050219.tif 000002
【特許請求の範囲】
【請求項１】
商品を求める顧客側の携帯情報端末と前記商品の販売側において前記携帯情報端末にサービスを提供する配信サーバとからなり、
前記配信サーバは、
所定のサービス領域に対して電波信号を送出する手段と、
前記電波信号を検知した携帯情報端末からアドレス要請を受け付ける手段と、
前記アドレス要請に応じて前記携帯情報端末にアドレスを割り当てる手段と、
前記割り当てたアドレス宛てに前記商品に係る情報群を配信する手段とを備え、
前記携帯情報端末は、
前記サービス領域に送出された電波信号を検知する手段と、
前記電波信号を検知したときにアドレスの割り当てを要請する手段と、
前記アドレスが割り当てられた場合に、配信される情報群を受信する手段と、
前記受信した情報群の中から１以上の情報の選択を促す手段と、
前記選択された１以上の情報に対する関連情報を問い合わせる手段と、
前記問い合わせに対して、前記サービス領域での位置情報を含む関連情報を受信する手段と、
前記サービス領域を示すエリアマップに前記位置情報をレイアウトして表示する手段と、
を備えるサービスシステム。
【請求項２】
所定のサービス領域に対して電波信号を送出する手段と、
前記電波信号を検知した携帯情報端末からアドレス要請を受け付ける手段と、
前記アドレス要請に応じて前記携帯情報端末にアドレスを割り当てる手段と、
前記割り当てたアドレス宛てに前記商品に係る情報群を配信する手段とを備える配信サーバ。
【請求項３】
前記関連情報は、複数商品からなる商品群の中から推奨される特定商品を含み、
商品を供給する供給側のサーバからその供給側の商品を前記特定商品として前記関連情報に含めて配信する、そのような配信要請を受信する手段と、
前記配信要請に対して所定の選定基準に基づいてその供給側の商品を特定商品とするか否かを決定する選定手段とをさらに備える請求項２に記載の配信サーバ。
【請求項４】
コンピュータが、
所定のサービス領域に対して電波信号を送出するステップと、
前記電波信号を検知した携帯情報端末からアドレス要請を受け付けるステップと、
前記アドレス要請に応じて前記携帯情報端末にアドレスを割り当てるステップと、
前記割り当てたアドレス宛てに前記商品に係る情報群を配信するステップとを実行する情報配信方法。
【請求項５】
コンピュータに、
所定のサービス領域に対して電波信号を送出するステップと、
前記電波信号を検知した携帯情報端末からアドレス要請を受け付けるステップと、
前記アドレス要請に応じて前記携帯情報端末にアドレスを割り当てるステップと、
前記割り当てたアドレス宛てに前記商品に係る情報群を配信するステップとを実行させるコンピュータ実行可能なプログラム。
【発明の詳細な説明】
【技術分野】
【０００１】
本発明は、商品販売店内における顧客に対する販売促進を目的として、複数の情報からなる広告を配信するシステムに関する。さらに詳しくは、商品販売店の売り場などにおいて、顧客が１つの目的を達成するため、複数の商品（材料）を集めなければならない場合などにその購入を効率的に行わせる技術に関する。
【背景技術】
【０００２】
顧客に対する商品の提供は、一般的には、その商品を顧客に販売する販売店等の商品販売側、及び商品販売側へその商品を供給するメーカまたは商社などの商品供給側の連携でなされる。
【０００３】
従来、商品の販売促進を行う場合において商品供給側では、例えば、テレビを利用した広告（ＣＭ）、商品販売側への働きかけ、人を派遣したセールス、情報機器に対する広告の配信サービスなどを実施することが一般的である。このうち、広告の配信サービスについては、ユーザの嗜好性に基づいて配信される広告が提唱されてはいるが、実際には商品供給側の意図が主体となった一方的な内容の広告が多かった。このように配信される広告は、顧客側にとって迷惑な内容とも取れるものが多かった。
【０００４】
一方、商品を購入する顧客側では、例えば、大型の販売店で必要なものを揃える場合などは、その販売店を歩き回りながら購入目的の商品を探すこととなる。しかし、このような場合に、上記のような広告によって有用な情報を得ることができなかった。このため、顧客は、商品を購入するという目的を果たすために時間がかかりすぎてしまい、短時間で効率的に買い物を済まることが困難な場合があった。
【０００５】
以上のように、従来の販売促進技術は、商品供給側や顧客側にとって、何らかの欠点を有していた。
【０００６】
その他、販売促進技術や広告の配信サービスに係る技術として、特許文献１及び特許文献２に開示された技術がある。
【特許文献１】特開２００２−２４５３４０号公報
【特許文献２】特開２００１−９２７４３号公報
【発明の開示】
【発明が解決しようとする課題】
【０００７】
上述のような欠点に加え、従来の販売促進技術では、以下のような問題も生じていた。従来の販売促進技術において、商品供給側は、商品販売側に店内販売に係る行為を一任していた。そのため、商品供給側は、顧客が商品購入の最終決定を行う直前において自社の商品を勧めることができなかった。即ち、従来の販売促進技術において、商品供給側からの最終的な顧客（販売店で商品を購入しようとしている顧客）に対する販売促進手段が存在していなかった。
【０００８】
本発明は、以上のような問題を解決し、顧客側が店内にある商品を購入する際の最終的な判断を下す時に有効となる商品供給側からの販売促進が可能なサービスシステムを提供することを目的とする。このサービスにおいては、顧客の広告に対する違和感を除外するとともに、短時間で効率的に商品を購入することを可能にして、従来の欠点も解消するよ
うな技術も含めて提供する。
【課題を解決するための手段】
【０００９】
上記問題を解決するため、本発明は以下のような構成をとる。即ち、本発明は、サービスシステムであって、商品を求める顧客側の携帯情報端末と上記商品の販売側において上記携帯情報端末にサービスを提供する配信サーバとからなり、上記配信サーバは、所定のサービス領域に対して電波信号を送出する手段と、上記電波信号を検知した携帯情報端末からアドレス要請を受け付ける手段と、上記アドレス要請に応じて上記携帯情報端末にアドレスを割り当てる手段と、上記割り当てたアドレス宛てに上記商品に係る情報群を配信する手段とを備え、上記携帯情報端末は、上記サービス領域に送出された電波信号を検知する手段と、上記電波信号を検知したときにアドレスの割り当てを要請する手段と、上記アドレスが割り当てられた場合に、配信される情報群を受信する手段と、上記受信した情報群の中から１以上の情報の選択を促す手段と、上記選択された１以上の情報に対する関連情報を問い合わせる手段と、上記問い合わせに対して、上記サービス領域での位置情報を含む関連情報を受信する手段と、上記サービス領域を示すエリアマップに上記位置情報をレイアウトして表示する手段とを備える。
【００１０】
好ましくは、上記サービスシステムにおいて、上記関連情報は、複数商品からなる商品群の中から推奨される特定商品を含み、上記配信サーバは、商品を供給する供給側のサーバからその供給側の商品を上記特定商品として上記関連情報に含めて配信する、そのような配信要請を受信する手段と、上記配信要請に対して所定の選定基準に基づいてその供給側の商品を特定商品とするか否かを決定する選定手段とをさらに備えるように構成してもよい。
【００１１】
また、本発明は、配信サーバであって、所定のサービス領域に対して電波信号を送出する手段と、上記電波信号を検知した携帯情報端末からアドレス要請を受け付ける手段と、上記アドレス要請に応じて上記携帯情報端末にアドレスを割り当てる手段と、上記割り当てたアドレス宛てに上記商品に係る情報群を配信する手段とを備える。
【００１２】
好ましくは、上記配信サーバは、上記配信した情報群のうち、上記携帯情報端末で選択された１以上の情報に対する問い合わせを受け付ける手段と、上記問い合わせに対して上記選択された情報に関連し、上記サービス領域での位置情報を含む関連情報を返信する手段とを備えるように構成してもよい。
【００１３】
好ましくは、上記配信サーバは、上記情報群を限定する限定情報を受信する手段と、その限定情報にしたがい、配信される情報群を限定する手段とをさらに備えるように構成してもよい。
【００１４】
好ましくは、上記関連情報は、複数商品からなる商品群の中から推奨される特定商品を含み、上記配信サーバは、商品を供給する供給側のサーバからその供給側の商品を上記特定商品として上記関連情報に含めて配信する、そのような配信要請を受信する手段と、上記配信要請に対して所定の選定基準に基づいてその供給側の商品を特定商品とするか否かを決定する選定手段とをさらに備えるように構成してもよい。
【００１５】
好ましくは、上記配信サーバは、上記選定手段により上記供給側の商品が特定商品とされなかった場合に、上記供給側のサーバにその旨を通知する手段をさらに備えるように構成してもよい。
【００１６】
好ましくは、上記通知する手段は、上記選定手段により特定商品とされた商品に係る情報をその商品の供給側以外の他の商品の供給側に通知するように構成してもよい。
【００１７】
好ましくは、上記配信サーバは、上記供給側の商品が特定商品とされる場合に、その特定商品の有効期間を設定する手段と、上記有効期間が終了する前にその旨を通知する手段をさらに備えるように構成してもよい。
【００１８】
また、本発明は、コンピュータその他の装置、機械等が上記いずれかの処理を実行する方法であってもよい。また、本発明は、コンピュータその他の装置、機械等に、以上のいずれかの機能を実現させるプログラムであってもよい。また、本発明は、そのようなプログラムをコンピュータ等が読み取り可能な記録媒体に記録したものでもよい。
【発明の効果】
【００１９】
本発明によれば、販売店において商品を購入しようとしている顧客に対して、商品供給側自身が自社の商品を勧めることが可能となるシステムを提供することができる。また、本発明によれば、商品販売エリアが広範囲になる場合でも、顧客が保持する端末に購入目的とする商品の位置情報を表示することが可能なため、効率的に商品を購入することができる。さらに、本発明によれば、顧客が自ら選択した商品に係る情報を広告として配信するため、顧客が広告に抱く違和感を除外することができる。
【発明を実施するための最良の形態】
【００２０】
以下、図面を用いて本発明を実施するための最良の形態について説明する。なお、本実施形態の説明は例示であり、本発明の構成は以下の説明に限定されない。
【００２１】
《実施形態》
〈概要〉
本実施形態の概要について、図１〜図４を用いて説明する。なお、本実施形態の説明は、商品を購入することを目的に顧客が商品販売店に来店することを前提としている。
【００２２】
（システム構成）
図１は、本実施形態のシステム構成を示す図である。本システムは、商品供給側２,３と商品販売側４と顧客５から構成される。このうち、商品供給側２,３とは、商品メーカであり複数存在する。そして、商品供給側２,３は、商品販売側４との契約に基づいて、商品販売エリア７に存在する顧客５に対して情報を配信するサービスを提供する。この商品供給側２,３は、商品販売側４と通信可能なサーバを有する。このサーバは、パソコン等の一般的なコンピュータで構成される。ここで、配信する情報とは、複数の情報からなる情報群であり、例えば、商品供給側２,３の商品情報を含む広告等である。
【００２３】
商品販売側４は、実際に商品を販売する販売店であり、商品供給側や携帯情報端末６と通信が可能な配信サーバ８を有する。この配信サーバ８には、例えば、ＤＨＣＰ（Dynamic Host Configuration Protocol）を搭載して、携帯情報端末６に自動的にＩＰアドレスを割当てるようにする。ここで、配信サーバ８のシステム構成について説明する。配信サーバ８は、パソコン等の一般的なコンピュータで構成される。よって、配信サーバ８については、本システムに関連する構成要素について主に説明する。配信サーバ８は、配信要請制御部８Ａ、配信制御部８Ｂ、情報配信機器８Ｃ、各種データベースを有する。このうち、配信要請制御部８Ａは、商品供給側２,３との通信を制御する。また、配信制御部８Ｂは、情報の配信に係る処理を制御する。また、情報配信機器８Ｃは、無線を用いた通信が可能な機器である。この情報配信機器８Ｃは、いわゆる無線ＬＡＮアクセスポイントとして機能し、商品販売エリア７に対してビーコン信号（電波信号）を送出することで、そのエリア７に存在する顧客５が保持する携帯情報端末６と通信する。また、各種データベースは、例えば、図１に示される商品リスト、または、配信コンテンツを作成するための情報を管理する。
【００２４】
図１に示すように、商品供給側２,３と商品販売側４との間は、それぞれルータ１２,１３,１４を介してインターネット１等の一般的な通信ネットワークに接続される。また、ルータ１２,１３,１４も、ネットワークに接続させる一般的なルータである。但し、インターネット１の代わりに専用線またはＶＰＮ（Virtual Private Network）等により商品供給側２,３と商品販売側４とを接続してもよい。
【００２５】
また、商品販売エリア７は、商品供給側２,３の商品を並べる店内の領域である。この商品販売エリア７には、各種商品９,１０,１１が配置される。これら各種商品９,１０,１１は、配信サーバ８により商品販売エリア７内における配置位置の情報が管理される。ここでいう商品とは、最小単位で販売される商品である。
【００２６】
また、顧客５とは、移動が可能な携帯情報端末６を保持する顧客である。この携帯情報端末６は、無線通信を行う機能、配信された情報群の中から情報を選択するアプリケーション、配信された情報（情報群）を表示するアプリケーションを有する情報端末であれば特定の機器に限定されない。例えば、この携帯情報端末６は、携帯電話やＰＤＡ（Personal Digital Assistance）等である。顧客５は、上述のような携帯情報端末６を保持することにより、商品販売エリア７内で情報配信機器８Ｃと通信を行う。そして、携帯情報端末６は、例えば、配信サーバ８から、地図情報、商品情報、商品の位置情報などを受信したり、商品の位置情報を問い合わせたり、受信した商品の位置情報を画面１５上に表示するように機能する。
【００２７】
（処理フロー）
次に、上述した各構成ごとの動作について説明する。まず、商品供給側２と商品販売側４との間の通信を伴う処理について説明する。図２は、本システムにおける商品供給側２と商品販売側４との間の通信を伴う処理フローを示す図である。
【００２８】
商品供給側２は、商品販売側４とサービス契約を行う（Ｓ１）。以後、商品供給側２は、優先広告を要請するか否かを判断する（Ｓ２）。即ち、商品供給側２は、顧客５に対して優先的に配信したい情報が発生したか否かを判断する。そして、商品供給側２は、優先的に配信したい情報が発生した時点で優先広告を作成する（Ｓ３）。この優先広告とは、顧客に対して優先的に配信したい商品情報を示す広告である。商品供給側２は、自社で提供する商品情報を含む優先広告を顧客５に対し優先的に配信してもらうための要請（以下、商品提供優先要請という）を商品販売側４へ送信する（Ｓ４）。この商品提供優先要請は、優先広告に対する支払額（以下、入札額）の提示を含む申し込みであり、商品販売側４によって承諾された場合にその優先要請に含まれる広告が顧客５に対して優先的に配信される。
【００２９】
一方、商品販売側４は、いずれかの商品供給側から商品提供優先要請を受信したか否かを判断する（Ｓ５）。商品供給側から商品提供優先要請を受信した場合には、その商品供給側が予めサービス契約を行っている商品メーカであるか否かが判断される（Ｓ６）。ここで予めサービス契約を行っている商品メーカであった場合には、商品販売側４は、優先リスト（図１に示す商品リストに相当する）に基づいて優先順位を判定する（Ｓ７）。この優先リストは、配信サーバ８内の優先リストデータベース（詳細は後述）で管理され、優先要請時の入札額に基づいて各商品メーカの商品広告に対する優先順位を管理する。ここでは、優先リスト内において、他の商品メーカが保持する同一商品の中で優先要請時の入札額が最高であるか否かが判定される。ここで入札額が最高であると判定された場合には、商品販売側４によって優先広告が承諾されて利用が許可される。利用が許可された商品メーカの商品情報は、優先リストデータベースに登録され管理される（Ｓ８）。一方、入札額が最高とならなかった場合には、商品提供優先要請を送信してきた商品メーカに対
してその旨を通知する。
【００３０】
続いて、商品販売側４は、受信した商品提供優先要請に含まれる情報に基づいて、顧客５に配信する配信コンテンツを作成して配信サーバ８に登録する（Ｓ９）。新たな商品提供優先要請が配信コンテンツとして登録されると、商品販売側４は、商品供給側に選定結果を送信する（Ｓ１０）。ここでは、商品提供優先要請が配信コンテンツとして登録されると、その優先要請をした商品メーカに優先要請を受け付けた（優先要請に示された入札額で落札した）旨が通知される。同時に、前回優先リストに登録されていたが、他の商品メーカからの新たな優先要請により優先リストから外された商品メーカ（以降、前商品供給側ともいう）に対してもその旨が通知される。
【００３１】
なお、Ｓ６において、予めサービス契約が行われていない商品メーカであった場合には、受信した商品提供優先要請を廃棄する（Ｓ１１）。
【００３２】
また、商品販売側４は、上述した商品供給側からの商品提供優先要請に基づく配信コンテンツの作成および登録処理と分離して、顧客５に対する配信処理を実施する。まず、商品販売側４は、顧客５に対してコンテンツを配信する要求があるか否かを判断する（Ｓ１２）。ここでコンテンツを配信する場合には、配信情報を切替える必要があるか否かを判断する（Ｓ１３）。即ち、新たに配信コンテンツが作成および登録されたか否かが判断される。新たに配信コンテンツが作成および登録された場合には、配信サーバ８から配信コンテンツを取得する（Ｓ１４）。取得した配信コンテンツは、通信可能となった顧客５の携帯情報端末６に対して配信される（Ｓ１５）。一方、新たに配信コンテンツが作成および登録されていない場合には、前回配信した配信コンテンツを配信する。
【００３３】
次に、顧客側５と商品販売側４との間の通信を伴う処理について説明する。図３は、本システムにおける顧客側５と商品販売側４との間の通信を伴う処理フローを示す図である。
【００３４】
顧客５が商品販売エリア７内にいる場合に、顧客５の保持している携帯情報端末６は、商品販売側４における配信サーバ８が送出するビーコン信号を検知する（Ｓ２１）。携帯情報端末６は、ビーコン信号を検知すると配信サーバ８と通信ネゴシエーションを行う（Ｓ２２）。ここで、携帯情報端末６には、配信サーバ８との通信に必要なアドレスが割り当てられる。そして、携帯情報端末６は、配信サーバ８と通信が可能な状態であるか否かを判断する（Ｓ２３）。配信サーバ８と通信が可能な状態である場合には、携帯情報端末６は、配信サーバ８から配信される配信コンテンツを受信する（Ｓ２４）。
【００３５】
続いて、携帯情報端末６は、その時点で表示されているエリアマップ情報を更新する必要があるか否かを判断する（Ｓ２５）。即ち、受信した配信コンテンツに含まれるエリアマップ情報が、携帯情報端末６がその時点で表示しているエリアマップ情報と同じであるか否かが判断される（Ｓ２５）。このエリアマップ情報とは、商品販売エリア７内の位置関係をレイアウト情報により示す情報であり、携帯情報端末６の画面上に表示される。また、このエリアマップ情報は、新たな商品販売エリアで配信コンテンツを受信しない限りは変化しない。このため、Ｓ２５の判断処理は、顧客５が新たな商品販売エリア７に移動した場合などに、新たにビーコン信号を受信した時に実行される。ここでエリアマップが同じでない場合のみ、携帯情報端末６に表示されているエリアマップ情報を、新たに受信した配信コンテンツに含まれるエリアマップ情報に更新する（Ｓ２６）。
【００３６】
続いて、顧客５は、受信した配信コンテンツの内容を一定の条件に基づいて絞込むために、配信サーバ８に対して以後の配信コンテンツに対する絞込み要請を送信する（Ｓ２７）。絞込みを行う一定の条件とは、例えば、材料や価格などである。また、絞込み条件の
指定は、携帯情報端末６から顧客５が入力操作をすることにより行えばよい。
【００３７】
続いて、携帯情報端末６は、絞込み要請に基づいて絞込まれた配信コンテンツを受信する（Ｓ２８）。そして、携帯情報端末６は、当該顧客５が特定の顧客契約（以下、特定顧客契約という）をしているか否かを確認する（Ｓ２９）。この特定顧客契約とは、顧客５が嗜好する商品（以下、オリジナル商品という）について商品販売側の配信サーバ８に予め登録している状態をいう。また、Ｓ２９の確認は、配信サーバ８に問い合わせることで行ってもよいし、携帯情報端末６のメモリに記録した情報を参照することで行ってもよい。ここで、顧客５が特定顧客契約をしている場合には、携帯情報端末６は、配信コンテンツ内の商品とオリジナル商品の中から商品の選択をするように顧客５に促す（Ｓ３０）。オリジナル商品の情報は、配信コンテンツとともに自動的に配信されてもよいし、携帯情報端末６に登録して管理するようにしてもよい。一方、特定顧客契約をしていない場合には、携帯情報端末６は、配信コンテンツ内の商品のみを選択するように顧客５に促す（Ｓ３１）。
【００３８】
顧客５は、携帯情報端末６からの入力操作により商品を選択した後、その商品（材料）の位置情報を問い合わせる（Ｓ３２）。問い合わせについては、例えば、選択した商品情報の送信を以って問い合わせとしてもよい。
【００３９】
続いて、顧客５の携帯情報端末６は、問い合わせた商品（材料）の位置情報を受信する（Ｓ３３）。受信した位置情報は、携帯情報端末６の画面に表示されているエリアマップ上に表示（反映）される（Ｓ３４）。
【００４０】
これに対し、商品販売側４は、まず、顧客５からの絞込み要請を受信したか否かを判断する（Ｓ３５）。絞込み要請を受信した場合には、その要請に指定されている条件に基づいて配信サーバ８内の該当するデータベースを検索する（Ｓ３６）。そして、配信サーバ８は、データベースを検索した結果、絞込み要請の条件に該当する商品があるか否かを判断する（Ｓ３７）。ここで、絞込み要請の条件に該当する商品があった場合には、その条件に基づいて絞り込まれた配信コンテンツを配信する（Ｓ３８）。一方、絞込み要請の条件に該当する商品がない場合には、その旨を通知する情報を送信する（Ｓ３９）。
【００４１】
また、商品販売側４は、Ｓ３５において、受信した情報が絞込み要請でなかった場合には、商品（材料）の位置情報についての問い合わせであるか否かを判断する（Ｓ４０）。ここで、商品の位置情報についての問い合わせである場合には、特定顧客契約をしている顧客５であるか否かを判断する（Ｓ４１）。ここで、特定顧客契約をしている顧客５からのオリジナル商品の問い合わせである場合には、該当するデータベースを検索して（Ｓ４２）、その商品（材料）の位置情報を携帯情報端末６に送信する（Ｓ４３）。一方、特定顧客契約をしていない顧客５からの商品の問い合わせである場合には、位置管理データベースを検索してその商品（材料）の位置情報を含む配信コンテンツを作成して携帯情報端末６に送信する（Ｓ４３）。
【００４２】
（金銭処理ルート）
次に、本システムにおける金銭的な流れについて説明する。図４は、本システムの金銭ルートを示す図である。
【００４３】
まず、商品販売側４は、顧客５に対して無料で配信コンテンツ（商品リスト（商品広告）や位置情報など）を配信する（Ｓ５０）。顧客５は、配信コンテンツに基づいて商品販売側４にある目的の商品を購入する（Ｓ５１）。商品販売側４は、顧客５の商品の購入により商品利益を得ることになる。ここで、顧客５が特定顧客契約を行っている場合には、商品販売側４は、そのサービス利用料金をサービス利益として得ることになる（Ｓ５２）
。
【００４４】
また、商品販売側４は、商品供給側２からの商品提供優先要請を受け付けることにより、優先配信権料金を得る（Ｓ５３）。この優先配信権料金は、商品提供優先要請に含まれる入札額となる。このように、商品供給側２は、商品販売側４に対して商品提供優先要請を行うことにより、顧客５に対して優先的に自社商品を広告することができる。即ち、商品供給側２は、商品を購入する直前の顧客５に対して自社の商品を勧めることができる。最終的に、商品供給側２は、顧客５に対する自社商品の知名度を向上させる効果を得ることができる（Ｓ５４）。
【００４５】
〈エリアマップ情報〉
次に、顧客５の携帯情報端末６の画面１５に表示されるエリアマップについて説明する。図５は、本システムのエリアマップ情報の一例を示す図である。なお、図５は食品エリアを想定した場合のエリアマップ情報である。図５に示すように、エリアマップ情報には、店内のレイアウト情報が一定に区画した座標軸（Ｘ１…,Ｙ１…）とともに示される。顧客５は、このエリアマップ情報に基づいて店内の各販売コーナーの位置関係を知ることができる。
【００４６】
図６は、配信サーバ８から送信された位置情報を反映したエリアマップ情報の一例を示す図である。なお、図６に示す例も食品エリアを想定した場合のエリアマップ情報である。図６に示す例では、問い合わせた商品（材料）の位置がエリアマップ情報内に“●”で示されている。そして、配信コンテンツには、商品の位置を示す座標値が表示される。図６に示す例では、顧客５は、メーカＡ社製品がエリアマップ上の“Ｘ１３：Ｙ７”の位置に存在することを知ることができる。このように、顧客５は、エリアマップ情報と配信コンテンツに基づいて購入目的の商品位置を把握することができる。
【００４７】
〈データ構成〉
次に、本システムにおける各種データベース、各種要求／応答メッセージのデータ構成について説明する。以下、商品販売エリア７が食品エリアであると想定して、具体例を挙げながら説明する。
【００４８】
まず、本システムにおける各種データベースについて説明する。以下に説明する各種データベースは、全て配信サーバ８が保持するデータベースである。図７は、料理コンテンツデータベースで管理するデータの一例を示す図である。図７に示すように、料理コンテンツデータベースは、複数の料理情報を料理群として管理する。
【００４９】
図８は、料理−材料群データベースで管理するデータの一例を示す図である。図８に示すように、料理−材料群データベースは、料理情報毎に対応付けて、その料理を構成する複数の材料を材料群として管理する。例えば、料理が“カレー”の場合には、材料群として“カレー粉”,“にんじん”,“じゃがいも”・・・等の複数の材料が対応付けされて管理される。
【００５０】
図９は、材料−商品データベースで管理するデータの一例を示す図である。図９に示すように、料理−商品データベースは、材料毎に対応付けて、その材料の商品種類を管理する。例えば、材料が“カレー粉”の場合には、商品として“Ａ社のカレー粉”,“Ｂ社のカレー粉”・・・等の種類が示され、材料が“じゃがいも”の場合には、商品として“茨城産の新じゃが”等の品種または原産地等が示される。
【００５１】
図１０は、優先リストデータベースで管理するデータの一例を示す図である。図１０に示すように、優先リストデータベースは、材料毎に優先商品データを対応付けて優先順位
に従って管理する。この優先商品データは、商品メーカからの優先要請に基づいて登録される。また、図１０に示される次点商品には、次に優先させる商品が管理される。例えば、現在の優先商品の有効期間を管理しておき、有効期間に応じて優先商品を切替えるような場合に、次点商品を次の優先商品として用いる。
【００５２】
図１１は、エリアマップ情報の構成例を示す図である。エリアマップ情報は、各商品販売エリア７毎のレイアウト情報（例えば、図５に示した画像データ、及び座標軸を示すデータ）のみを保持する。エリアマップ情報の詳細については、上述した通りである。
【００５３】
図１２は、位置管理データベースで管理するデータの一例を示す図である。図１２に示すように、位置管理データベースは、商品販売エリア７内において最小単位で販売する商品（材料）の位置情報をその商品毎に管理する。ここで、例えば、商品１に対してエリア１−１が定義されている場合、商品１がエリアマップ上のＸ＝１,Ｙ＝１の位置のエリアで販売されていることを示す。
【００５４】
図１３は、金額検索データベースで管理するデータの一例を示す図である。図１３に示すように、金額検索データベースは、料理毎の金額情報を管理する。金額は、下限値、上限値を用いて管理される。また、人数（ｎ人分など）に対応する金額も要素数を用いて管理する。
【００５５】
図１４は、材料検索データベースで管理するデータの一例を示す図である。図１４に示すように、材料検索データベースは、材料毎に対応付けて、その材料を用いて作ることができる料理情報を管理する。図１４に示す例では、材料“卵”に対して、料理“オムライス”,“おでん”が管理されている。この材料検索データベースは、例えば、“卵料理”等のように材料から料理を検索する場合に参照される。
【００５６】
図１５は、作り方データベースで管理するデータの一例を示す図である。図１５に示すように、作り方データベースは、料理毎の作り方を示す情報を管理する。この作り方を示す情報は、関連する配信コンテンツに含まれて配信される。作り方を示す情報は、特定顧客契約をしている顧客に対して特別に配信してもよいし、特定顧客契約に関係なく配信してもよい。なお、以下の説明では、必要に応じて、特定顧客契約をしている顧客を特定顧客、特定顧客契約をしていない顧客を一般顧客として区別する。
【００５７】
次に、本システムにおける各種要求／応答メッセージのデータ構成について説明する。図１６は、顧客５から配信サーバ８に対して商品の位置情報を問い合わせる際の要求メッセージを示す図である。位置情報を問い合わせる要求メッセージには、配信コンテンツに基づいて顧客５が選択した料理名、商品名などの購入目的に関する情報が示される。ここでいう要求メッセージは、図３のＳ３２（Ｓ３１を経由）において送信される位置情報の問い合わせに相当する。
【００５８】
図１７は、顧客５（一般顧客）からの商品の位置情報の問い合わせに対する配信サーバ８からの応答メッセージを示す図である。図１７に示すように、位置情報の問い合わせに対する応答メッセージには、例えば、問い合わせた“料理”を構成する複数の“商品”が“広告”とともに表示される。このうち、“商品”には、“商品名称（例えば、メーカＡ社製品）”と店内における位置関係を示す“座標（例えば、Ｘ４：Ｙ６）”が示される。また、“料理”には、その料理を構成するために必要な複数の“商品”の合計金額の平均値が表示される。また、“広告”には、“料理”や“商品”に関連する広告が“お勧めメッセージ”として表示される。この応答メッセージは、図３のＳ３３（Ｓ３１を経由）で受信される位置情報に相当する。
【００５９】
図１８は、特定顧客契約をしている顧客（特定顧客）からの商品の位置情報の問い合わせに対する配信サーバ８からの応答メッセージを示す図である。ここでいう特定顧客からの問い合わせは、図３のＳ３０において配信コンテンツ内の商品のみが選択された場合を想定している。特定顧客が配信コンテンツ内の商品のみを選択した場合は、その応答メッセージに追加情報が付加される点が、一般顧客が配信コンテンツ内の商品を選択した場合と異なる。図１８に示す例（特定顧客の例）では、図１７に示す例（一般顧客の例）に加えて“作り方”を示す情報が付加されている。この応答メッセージは、図３のＳ３３（Ｓ３０を経由）において特定顧客が配信コンテンツ内の商品のみを選択した場合に送信される位置情報に相当する。
【００６０】
図１９は、特定顧客契約をしている顧客（特定顧客）が配信サーバ８に対してオリジナル商品の位置情報を問い合わせる際の要求メッセージを示す図である。オリジナル商品は、予め登録してある商品であり、特定顧客がその中から目的に応じて選択した商品が要求メッセージに含まれる。この要求メッセージは、図３のＳ３０において特定顧客がオリジナル商品を選択した場合にＳ３２において送信される問い合わせ情報に相当する。
【００６１】
図２０は、特定顧客契約をしている顧客（特定顧客）からの商品の位置情報の問い合わせに対する配信サーバ８からの応答メッセージを示す図である。この応答メッセージは、図３のＳ３３（Ｓ３０において特定顧客がオリジナル商品を選択）で受信される位置情報に相当する。この応答メッセージは、応答対象が特定顧客固有のオリジナル商品であるが、メッセージのデータ構成は、図１７に示される応答メッセージと同じデータ構成となるため、その説明を省略する。
【００６２】
図２１は、商品提供優先要請のデータ構成を示す図である。商品提供優先要請は、商品供給側２が作成した優先広告を顧客５に対し優先的に広告してもらうための要請をする際の要求メッセージである。図２１に示すように、商品提供優先要請は、各商品毎に、商品種類、商品供給側ＩＤ、商品名称、広告、時間、金額を示す情報を含んで構成される。このうち、商品供給側ＩＤは、商品を供給する商品メーカ等を識別する識別子である。商品名称は、商品供給側２が意図するその商品に係る名称である。広告は、商品供給側２が作成した広告である。時間は、配信する広告の有効期間である。金額は、商品販売側４に対する広告の入札額である。この商品提供優先要請は、図２のＳ４で送信される商品提供優先要請に相当する。
【００６３】
図２２は、商品提供優先要請に対する選定結果のデータ構成の一例を示す図である。選定結果は、各商品毎に、現状設定情報と次回設定情報から構成される。このうち、現状設定情報には、商品名称、価格、有効時間が示される。この現状設定情報は、優先要請を受け付けた商品メーカに送信される選定結果に含まれる情報である。価格は、商品提供優先要請を落札した金額である。有効時間は、顧客５に対して広告が配信される期間である。また、次回設定情報には、商品名称、価格、次回締め切り時間が示される。この次回設定情報は、優先要請が受け付けられなかった商品メーカに送信される選定結果に含まれる情報である。価格は、その時点で優先要請が受け付けられている商品メーカの落札額である。次回締め切り時間は、同じ商品に対する商品提供優先要請の再受け付けに対する制限時間である。
【００６４】
〈具体的な処理フロー〉
次に、本システムにおける全体の具体的な処理フローについて数パターンを用いて説明する。図２３は、本システム全体の処理フローを示す図である。
【００６５】
まず、商品メーカ２は、商品提供優先要請を作成する（Ｓ１００）。商品メーカ２は、配信サーバ８に対して商品提供優先要請を送信する（Ｓ１０１）。配信サーバ８の配信要
請制御部８Ａは、商品提供優先要請を受け付けるか否かを判断して、受け付ける場合には、優先リストデータベースに登録する（Ｓ１０２）。続いて、配信要請制御部８Ａは、受信した商品提供優先要請に基づいて、配信コンテンツを作成しデータベースに登録する（Ｓ１０３）。配信コンテンツが登録されると、配信要請制御部８Ａは、その旨を通知する選定結果を商品メーカ２に送信する（Ｓ１０４）。同時に、商品メーカ２からの優先要請を受け付けたことにより、優先リストから外された商品メーカ１に対してもその旨を通知する選定結果を送信する（Ｓ１０５）。
【００６６】
携帯情報端末６を保持する顧客５が、商品販売エリア７に移動すると、携帯情報端末６は、配信サーバ８の情報配信機器８Ｃが送出しているビーコン信号を検知する（Ｓ１０６）。ビーコン信号を検知した携帯情報端末６は、情報配信機器８Ｃに対して、以後の通信に必要なアドレスの割り当てを要請（以下、アドレス要請ともいう）する（Ｓ１０７）。情報配信機器８Ｃは、アドレス要請を送信した携帯情報端末６に対してアドレスを割り当てる（Ｓ１０８）。アドレスの割り当てが終了すると、配信サーバ８の情報配信機器８Ｃ−携帯情報端末６間は通信が可能な状態となる。
【００６７】
通信が可能になると、情報配信機器８Ｃは、携帯情報端末６に対し、情報群（上述では、配信コンテンツとも呼んでいる）を配信する（Ｓ１０９）。顧客５は、携帯情報端末６に配信された情報群から自身が得たい情報を選択する（Ｓ１１０）。図２３に示す例では、情報群の中から“情報２”が選択されている。
【００６８】
携帯情報端末６は、顧客５が選択した情報について、商品販売エリア７内における位置情報の問い合わせを配信サーバ８に送信する（Ｓ１１１）。配信サーバ８の配信制御部８Ｂは、登録してある配信コンテンツを検索して、問い合わせに該当する情報を抽出する（Ｓ１１２）。配信制御部８Ｂは、抽出した情報に基づいて新たな配信コンテンツを作成する（Ｓ１１３）。ここで作成される配信コンテンツには、位置情報、エリアマップ情報などが含まれる。
【００６９】
作成された配信コンテンツは、情報配信機器８Ｃを介して顧客５の携帯情報端末６に送信される（Ｓ１１４）。携帯情報端末６は、エリアマップ情報を含む配信コンテンツを受信すると、その画面１５上にエリア内における位置情報を表示する（Ｓ１１５）。
【００７０】
《食品エリアに適用した場合》
図２４は、本システムにおける商品販売エリア７を食品エリア（食料品売り場）に適用した場合の処理フローを示す図である。以下、食品エリアに適用した場合については、図２３に示す処理例と異なる点を説明する。図２４に示すように、本システムを食品エリアに適用した場合、図２３に示す情報の概念が料理となり、商品の概念が材料となる。このため、Ｓ１０８において通信が可能になると、情報配信機器８Ｃから配信される情報群（Ｓ１０９）は、料理を示す情報となる。
【００７１】
また、Ｓ１１３において配信される配信コンテンツには、料理の作り方を示す情報が含まれる。
【００７２】
最終的に、顧客５は、食品エリアにおいて料理を構成する複数の材料の位置情報を携帯情報端末６の画面１５上から即座に知ることができる。このようにして、たとえ食品エリアが広範囲な場合であっても、顧客５は、効率的に目的の材料を購入することができる。
【００７３】
《一つの商品に対する複数の広告を時間で切替えた場合》
図２５は、商品供給側が一つの商品に対する複数の広告を時間で切替える優先要請をした場合の処理フローを示す図である。
【００７４】
まず、商品供給側は、一つの商品に対して商品名称を含む複数の広告を作成する。作成された複数の広告には、それぞれ制限時間が設けられる。このように商品供給側は、一つの商品に対する複数の広告を含む優先要請を作成する。
【００７５】
Ｓ１０２において、配信サーバ８は、優先リストに登録をする際に制限時間も併せて登録する。図２５に示す例では、各商品名称に対して制限時間が残時間（Ｔ１０２）として管理されている。このように優先広告に時間の概念を設けておき、制限時間が経過した場合には、次の広告に切替えを行い、その広告を優先的に配信するようにする。また、優先リストにおいて、制限時間を過ぎた商品情報は、優先リストから削除するように管理すればよい。
【００７６】
また、Ｓ１０５において、優先リストから外された商品メーカ１に対して送信される選定結果は、優先リスト内の広告の切替え処理に関係なく、商品メーカ２の広告要請が採用された時に一度のみ送信するようにすればよい。
【００７７】
《優先広告の有効時間を通知する場合》
図２６は、優先広告の有効時間が経過する際の一連の処理を示す図である。なお、図２６におけるＳ１０１〜Ｓ１０５の処理は、図２３と基本的に同じであるため、その説明を省略する。
【００７８】
配信サーバ８の配信要請制御部８Ａは、優先リストに登録されている優先広告の有効時間（有効期間）を監視する（Ｓ１２１）。ここで、優先広告の有効時間が経過する前（例えば、５分前など）に、配信要請制御部８Ａは、その広告を要請した商品メーカに、残時間（Ｔ１２１）を通知する（Ｓ１２２）。残時間（Ｔ１２１）の通知は、その旨の通知を含む選定結果のメッセージ（図２２参照）を送信することで行えばよい。
【００７９】
有効時間が経過した後、配信要請制御部８Ａは、優先リストからその情報を削除する（Ｓ１２３）。そして、配信サーバ８で管理される配信コンテンツ内の“広告情報”も削除される（Ｓ１２４）。
【００８０】
削除後、配信要請制御部８Ａは、該当する商品メーカに有効時間の経過により優先リストから削除されたことを選定結果のメッセージ（図２２参照）により通知する（Ｓ１２５）。
【００８１】
《顧客から情報を問い合わせる場合》
図２７は、顧客５から商品販売側４へ情報を問い合わせる場合を示す図である。ここでいう顧客は、特定のサービスを契約している特定顧客が前提となる。なお、この処理は、図２３のＳ１０６からＳ１０８までが既に行われ、配信サーバ８の情報配信機器８Ｃ−携帯情報端末６間が通信可能な状態であるとする。
【００８２】
まず、顧客５は、携帯情報端末６によりオリジナル商品についての問い合わせメッセージを作成する（Ｓ１３０）。作成した問い合わせメッセージは、配信サーバ８に送信される（Ｓ１３１）。配信サーバ８は、問い合わせメッセージを受信すると、そのメッセージに含まれるオリジナルコードを元に追加サービス８Ｄを機能させる（Ｓ１３２）。そして、追加サービス８Ｄは、問い合わせがあった材料に係る情報を検索する（Ｓ１３３）。配信制御部８Ｂは、検索結果を元に位置情報を含む配信コンテンツを作成する（Ｓ１３４）。
【００８３】
作成された配信コンテンツは、情報配信機器８Ｃを介して問い合わせをした顧客５の携
帯情報端末６に送信される（Ｓ１３５）。
【００８４】
《顧客が絞込み要請する場合》
図２８は、顧客が絞込み要請をする場合の処理を示す図である。この処理は、図２３のＳ１０６からＳ１０８までが既に行われ、配信サーバ８の情報配信機器８Ｃ−携帯情報端末６間が通信可能な状態であるとする。
【００８５】
顧客５は、絞込みをする条件を指定したメッセージを作成する（Ｓ１４０）。この条件は、例えば、価格の上限、下限、人数、材料等を“and”や“or”の論理演算子で組合せた論理式などである。
【００８６】
作成したメッセージは、配信サーバ８に送信される（Ｓ１４１）。配信サーバ８の配信制御部８Ｂは、メッセージに含まれる指定条件を満たす情報をデータベースから検索して配信する（Ｓ１４２）。図２８に示す例では、“片栗粉”を用いた“料理２”が配信されている。
【００８７】
指定した条件により絞込まれた情報を受信した顧客５は、その内容を確認して位置情報を問い合わせる（Ｓ１４３）。以降、Ｓ１４４からＳ１４７までの処理については、図２３のＳ１１２からＳ１１５までの処理と同じであるため、その説明は省略する。
【００８８】
〈通信シーケンス〉
次に、本システムにおける全体の通信シーケンスについて数パターンを用いて説明する。図２９は、本システム全体の通信シーケンスを示す図である。ここでは、処理を配信サーバ８への接続処理、購入処理、切断処理の３つのステップに分けて説明する。
【００８９】
まず、配信サーバ８は、情報配信機器８Ｃを通じて配信コンテンツを配信する（Ｓ１５１）。但し、この状態では、情報配信機器８Ｃと携帯情報端末６との間で通信が確立されていないので、配信コンテンツは、携帯情報端末６まで配信されていない。一方、情報配信機器８Ｃは、常時商品販売エリア７にビーコン信号を送信している（Ｓ１５２）。顧客５が保持する携帯情報端末６は、商品販売エリア７を検知してビーコン信号を受信する（Ｓ１５３）。
【００９０】
携帯情報端末６がビーコン信号を受信すると、情報配信機器８Ｃとの間で通信が確立される（Ｓ１５４）。続いて、配信サーバ８により、配信サーバ８−携帯情報端末６間でＤＨＣＰに係る処理（ＤＨＣＰシーケンス）が実行される（Ｓ１５５）。ＤＨＣＰシーケンス終了後、携帯情報端末６は、配信サーバ８と通信するためのアドレスを確保する（Ｓ１５６）。以上、Ｓ１５１〜Ｓ１５６までの処理が、配信サーバ８−携帯情報端末６間で実行される接続処理である。
【００９１】
続いて、配信サーバ８は、携帯情報端末６に対して配信コンテンツを配信する（Ｓ１５７）。ここでいう配信コンテンツとは、エリアマップ情報または広告群（上述の情報群に相当）を含むものである。この状態では、情報配信機器８Ｃと携帯情報端末６との間で通信が確立しているので、配信コンテンツは、携帯情報端末６まで到達する。配信コンテンツを受信した携帯情報端末６は、必要に応じて自身が保持するエリアマップ情報を更新する（Ｓ１５８）。そして、顧客５からの入力操作により広告群の中から目的の商品（図２４の料理情報に相当）が選択される（Ｓ１５９）。携帯情報端末６は、選択した商品情報を送信することにより、その商品を構成する材料の位置情報を問い合わせる（Ｓ１６０）。
【００９２】
位置情報の問い合わせを受信した配信サーバ８は、その商品情報から材料群を検索して
、位置管理データベースから材料群の位置情報を取得する（Ｓ１６１）。配信サーバ８は、問い合わせのあった商品に対する材料群の位置情報を携帯情報端末６に送信する（Ｓ１６２）。
【００９３】
材料群の位置情報を受信した携帯情報端末６は、その画面１５上に各材料毎の位置情報を表示する（Ｓ１６３）。そして、顧客５は、画面１５上に表示された位置情報に基づいて各材料を購入する（Ｓ１６４）。以上、Ｓ１５７〜Ｓ１６４までの処理が、配信サーバ８−携帯情報端末６間で実行される購入処理である。
【００９４】
顧客５は、材料を購入すると商品販売エリア外へ移動する（Ｓ１６５）。顧客５が商品販売エリア外に移動すると、配信サーバ８からのビーコン信号が携帯情報端末６により検知されなくなり、配信サーバ８は、ＤＨＣＰによる接続時間をタイムアウトとして検出する（Ｓ１６６）。続いて、配信サーバ８は、顧客５の携帯情報端末６に割り当てたアドレスを開放する（Ｓ１６７）。以上、Ｓ１６３〜Ｓ１６７までの処理が、配信サーバ８−携帯情報端末６間で実行される切断処理である。
【００９５】
本システムにおける通信は、ＨＴＴＰ（Hyper Text Transfer Protocol）を用いて実現できる。この場合、携帯情報端末６がアドレスを取得した後、配信サーバ８は、ブロードキャストで配信コンテンツを配信する。一方、携帯情報端末６は、商品などの位置情報を配信サーバ８に問い合わせる際には、ユニキャストで返信する。
【００９６】
《絞込み時の通信シーケンス》
図３０は、顧客５が配信コンテンツの絞込み要請を行った場合の通信シーケンスを示す図である。図３０に示す通信シーケンスは、図２９に示す通信シーケンスと基本的に同じであるため、異なる処理ステップ（Ｓ１５８−１〜Ｓ１５８−３）について説明する。
【００９７】
顧客５は、受信した配信コンテンツの内容を一定の条件に基づいて絞込むための絞込み要請を配信サーバ８へ送信する（Ｓ１５８−１）。ここで、例えば、顧客５は、受信した配信コンテンツについて「５００円以下（価格）の卵料理（材料）」と絞込み条件を指定する。配信サーバ８は、材料検索データベースから“卵料理”を検索して、該当する料理項目を抽出する。続いて、配信サーバ８は、抽出した料理項目を、金額検索データベースに基づいて“５００円以下”に絞込む。配信サーバ８は、要請された条件に基づいて絞込んだ内容を含む広告群を作成する（Ｓ１５８−２）。配信サーバ８は、携帯情報端末６へ絞込み要請に対する応答として配信コンテンツ（広告群）をユニキャストする（Ｓ１５８−３）。
【００９８】
以上のように、顧客５は、配信サーバ８に対して配信コンテンツの絞込み要請を行うことにより、配信コンテンツの内容を自身が希望する内容に絞込むことができる。
【００９９】
《特定顧客に対する処理時の通信シーケンス》
図３１は、特定顧客に対する処理時の通信シーケンスを示す図である。図３１に示す通信シーケンスについても、図２９に示す通信シーケンスと基本的に同じであるため、異なる処理ステップ（Ｓ１５８−４〜Ｓ１５８−５）について説明する。
【０１００】
広告群が受信されると、携帯情報端末６は、マスク情報を非表示する（Ｓ１５８−４）。即ち、特定顧客は、オリジナル商品と重複する情報、受信したくない情報などをマスク情報として設定しておくことにより、必要のない情報を表示させないようにすることができる。そして、特定顧客は、携帯情報端末６への入力操作により広告群の中から目的の商品を選択する（Ｓ１５８−５）。ここで、特定顧客はオリジナル商品についても選択が可能であるため、必要に応じて選択を行えばよい。
【０１０１】
《配信コンテンツをブロードキャストで送信するシステムの通信シーケンス》
以上の実施形態では、主として、配信コンテンツのブロードキャスト、位置情報の問い合わせ（ユニキャスト）、及びその応答（ユニキャスト）の組み合わせによりサービスを実現した。これに代え、ブロードキャスト通信のみによってサービスを実現してもよい。
【０１０２】
図３２は、配信コンテンツをブロードキャストした時の通信シーケンスを示す図である。図３２に示す通信シーケンスについても、図２９に示す通信シーケンスと基本的に同じであるため、異なる処理ステップ（Ｓ１５９−１〜Ｓ１５９−４）について説明する。
【０１０３】
Ｓ１５９において、選択した情報は、配信サーバ８に送信されずに、携帯情報端末内６で保持される。配信サーバ８は、定期的に商品を構成する材料群の関連情報や材料の位置情報などの配信コンテンツを配信する（Ｓ１５９−２、Ｓ１５９−４）。携帯情報端末６は、材料群の情報は入手済みであるか否か、材料の位置情報は入手済みであるか否かを定期的に判断する（Ｓ１５９−１、Ｓ１５９−３）。このように、携帯情報端末６は、配信サーバ８から一方的に配信される配信コンテンツに基づいて端末６内の情報をアップデートさせるようにしてもよい。
【０１０４】
《商品供給側から商品販売側に対する優先要請時の通信シーケンス》
図３３は、商品供給側から商品販売側に対する優先要請時の通信シーケンスを示す図である。
【０１０５】
まず、商品供給側２の商品メーカ２は、配信サーバ８に対して商品提供優先要請を送信する（Ｓ１７１）。配信サーバ８は、契約情報を確認する（Ｓ１７２）。以降、配信サーバ８は、優先要請に含まれる入札額に基づいて商品の優先権を確認する処理を開始する（Ｓ１７３）。
【０１０６】
配信サーバ８は、優先リストデータベースで管理する優先リスト中において、他の商品メーカが保持する同一商品と比較した場合の入札額の順位が最高となるか否かを判断する（Ｓ１７４）。入札額の順位が最高となる場合には、商品メーカ２の商品を優先リストに登録する（Ｓ１７５）。続いて、配信サーバ８は、優先要請に含まれる優先広告を用いて配信コンテンツを作成して登録する（Ｓ１７６）。
【０１０７】
優先要請により配信サーバ８が管理する優先リストデータベースが更新された際（Ｓ１７７）に、優先リストから外れることになった前商品供給側（商品メーカ１）に対して、その旨を通知する選定結果を送信する（Ｓ１７８）。また、商品メーカ２に対しても、優先要請が受け付けられた旨を通知する選定結果が送信される（Ｓ１７９）。ここで、Ｓ１７８とＳ１７９における選定結果を送信するタイミングは限定されず、例えば、同一でもよいし、順番が逆となってもよい。
【０１０８】
以上、Ｓ１７１〜Ｓ１７９は、配信コンテンツが配信される前に商品供給側２−商品販売側４間で行われる処理である。この処理を、広告要請処理という。図２９〜図３２に示す通信シーケンスは、この広告要請処理が行われた後で実施される。
【０１０９】
〈変形例〉
本システムは、携帯情報端末６に専用のアプリケーションを導入して構成してもよい。このような構成を採る場合、配信サーバ８と携帯情報端末６は、予めアプリケーションレベルのメッセージを定義しておく。そして、アプリケーションが起動している状態において、携帯情報端末６は、パケットを監視しておりアプリケーションレベルのメッセージを検知した場合に、その表示を行うことになる。また、ＯＳのカーネル層において、アプリ
ケーションレベルのパケットを検知して、ＨＴＴＰ形式に変換するようにしてもよい。
【０１１０】
本システムによれば、商品販売側に対し要請をすることで、商品供給側は、自社の商品を自身が広告したい内容で、販売店にいるその商品を購入しようとしている顧客に対して配信することができる。これにより、例えば、本システムを新しく商品が発売される場合に適用すれば、その商品を即座に販売店に来店している顧客に対して浸透させることができると同時に、販売店において商品を購入する直前の顧客に対して販売促進活動を行うことができる。
【０１１１】
本システムによれば、顧客は、１つの商品販売エリアにおいて、例えば、ある料理を作るための複数の材料についての配置位置を短時間で知ることができる。このため、顧客は、商品販売エリアが広範囲に及ぶ場合でも、短時間で効率よく必要な商品を購入することができる。
【０１１２】
本システムによれば、顧客には、自身が購入を希望している商品に係る商品の広告が配信される。
【０１１３】
〈その他〉
本発明は、以下のように特定することができる。
（付記１）  商品を求める顧客側の携帯情報端末と前記商品の販売側において前記携帯情報端末にサービスを提供する配信サーバとからなり、
前記配信サーバは、
所定のサービス領域に対して電波信号を送出する手段と、
前記電波信号を検知した携帯情報端末からアドレス要請を受け付ける手段と、
前記アドレス要請に応じて前記携帯情報端末にアドレスを割り当てる手段と、
前記割り当てたアドレス宛てに前記商品に係る情報群を配信する手段とを備え、
前記携帯情報端末は、
前記サービス領域に送出された電波信号を検知する手段と、
前記電波信号を検知したときにアドレスの割り当てを要請する手段と、
前記アドレスが割り当てられた場合に、配信される情報群を受信する手段と、
前記受信した情報群の中から１以上の情報の選択を促す手段と、
前記選択された１以上の情報に対する関連情報を問い合わせる手段と、
前記問い合わせに対して、前記サービス領域での位置情報を含む関連情報を受信する手段と、
前記サービス領域を示すエリアマップに前記位置情報をレイアウトして表示する手段と、
を備えるサービスシステム。（１）
（付記２）  前記関連情報は、複数商品からなる商品群の中から推奨される特定商品を含み、
前記配信サーバは、商品を供給する供給側のサーバからその供給側の商品を前記特定商品として前記関連情報に含めて配信する、そのような配信要請を受信する手段と、
前記配信要請に対して所定の選定基準に基づいてその供給側の商品を特定商品とするか否かを決定する選定手段とをさらに備える付記１に記載のサービスシステム。
（付記３）  所定のサービス領域に対して電波信号を送出する手段と、
前記電波信号を検知した携帯情報端末からアドレス要請を受け付ける手段と、
前記アドレス要請に応じて前記携帯情報端末にアドレスを割り当てる手段と、
前記割り当てたアドレス宛てに前記商品に係る情報群を配信する手段とを備える配信サーバ。（２）
（付記４）  前記配信した情報群のうち、前記携帯情報端末で選択された１以上の情報に対する問い合わせを受け付ける手段と、
前記問い合わせに対して、前記選択された情報に関連し、前記サービス領域での位置情報を含む関連情報を返信する手段と、を備える付記３に記載の配信サーバ。
（付記５）  前記情報群を限定する限定情報を受信する手段と、
その限定情報にしたがい、配信される情報群を限定する手段とをさらに備える付記３に記載の配信サーバ。
（付記６）  前記関連情報は、複数商品からなる商品群の中から推奨される特定商品を含み、
商品を供給する供給側のサーバからその供給側の商品を前記特定商品として前記関連情報に含めて配信する、そのような配信要請を受信する手段と、
前記配信要請に対して所定の選定基準に基づいてその供給側の商品を特定商品とするか否かを決定する選定手段とをさらに備える付記３に記載の配信サーバ。（３）
（付記７）  前記選定手段により前記供給側の商品が特定商品とされなかった場合に、前記供給側のサーバにその旨を通知する手段をさらに備える付記６に記載の配信サーバ。
（付記８）  前記通知する手段は、前記選定手段により特定商品とされた商品に係る情報をその商品の供給側以外の他の商品の供給側のサーバに通知する付記７に記載の配信サーバ。
（付記９）  前記供給側の商品が特定商品とされる場合に、その特定商品の有効期間を設定する手段と、
前記有効期間が終了する前にその旨を通知する手段とをさらに備える付記６に記載の配信サーバ。
（付記１０）  商品を求める顧客側の携帯情報端末と前記商品の販売側において前記携帯情報端末にサービスを提供する配信サーバとからなるサービスシステムにおいて実行されるサービス方法であり、
前記配信サーバが、
所定のサービス領域に対して電波信号を送出するステップと、
前記電波信号を検知した携帯情報端末からアドレス要請を受け付けるステップと、
前記アドレス要請に応じて前記携帯情報端末にアドレスを割り当てるステップと、
前記割り当てたアドレス宛てに前記商品に係る情報群を配信するステップとを実行し、
前記携帯情報端末が、
前記サービス領域に送出された電波信号を検知するステップと、
前記電波信号を検知したときにアドレスの割り当てを要請するステップと、
前記アドレスが割り当てられた場合に、配信される情報群を受信するステップと、
前記受信した情報群の中から１以上の情報の選択を促すステップと、
前記選択された１以上の情報に対する関連情報を問い合わせるステップと、
前記問い合わせに対して、前記サービス領域での位置情報を含む関連情報を受信するステップと、
前記サービス領域を示すエリアマップに前記位置情報をレイアウトして表示するステップとを実行するサービス方法。
（付記１１）  前記関連情報は、複数商品からなる商品群の中から推奨される特定商品を含んでおり、
前記配信サーバが、商品を供給する供給側のサーバからその供給側の商品を前記特定商品として前記関連情報に含めて配信する、そのような配信要請を受信するステップと、
前記配信要請に対して所定の選定基準に基づいてその供給側の商品を特定商品とするか否かを決定するステップとをさらに実行する付記１０に記載のサービス方法。
（付記１２）  コンピュータが、
所定のサービス領域に対して電波信号を送出するステップと、
前記電波信号を検知した携帯情報端末からアドレス要請を受け付けるステップと、
前記アドレス要請に応じて前記携帯情報端末にアドレスを割り当てるステップと、
前記割り当てたアドレス宛てに前記商品に係る情報群を配信するステップとを実行する
情報配信方法。（４）
（付記１３）  前記コンピュータが、
前記配信した情報群のうち、前記携帯情報端末で選択された１以上の情報に対する問い合わせを受け付けるステップと、
前記問い合わせに対して、前記選択された情報に関連し、前記サービス領域での位置情報を含む関連情報を返信するステップと、を実行する付記１２に記載の情報配信方法。
（付記１４）  前記コンピュータが、
前記情報群を限定する限定情報を受信するステップと、
その限定情報にしたがい、配信される情報群を限定するステップとをさらに実行する付記１２に記載の情報配信方法。
（付記１５）  前記関連情報は、複数商品からなる商品群の中から推奨される特定商品を含んでおり、
前記コンピュータが、
商品を供給する供給側のサーバからその供給側の商品を前記特定商品として前記関連情報に含めて配信する、そのような配信要請を受信するステップと、
前記配信要請に対して所定の選定基準に基づいてその供給側の商品を特定商品とするか否かを決定するステップとをさらに実行する付記１２に記載の情報配信方法。
（付記１６）  前記コンピュータが、
前記決定するステップにより前記供給側の商品が特定商品とされなかった場合に、前記供給側のサーバにその旨を通知するステップをさらに実行する付記１５に記載の情報配信方法。
（付記１７）  前記コンピュータが、
前記決定するステップにより特定商品とされた商品に係る情報をその商品の供給側以外の他の商品の供給側のサーバに通知するステップをさらに実行する付記１６に記載の情報配信方法。
（付記１８）  前記コンピュータが、
前記供給側の商品が特定商品とされる場合に、その特定商品の有効期間を設定するステップと、
前記有効期間が終了する前にその旨を通知するステップとをさらに実行する付記１５に記載の情報配信方法。
（付記１９）  コンピュータに、
所定のサービス領域に対して電波信号を送出するステップと、
前記電波信号を検知した携帯情報端末からアドレス要請を受け付けるステップと、
前記アドレス要請に応じて前記携帯情報端末にアドレスを割り当てるステップと、
前記割り当てたアドレス宛てに前記商品に係る情報群を配信するステップとを実行させるコンピュータ実行可能なプログラム。（５）
（付記２０）  前記コンピュータに、
前記配信した情報群のうち、前記携帯情報端末で選択された１以上の情報に対する問い合わせを受け付けるステップと、
前記問い合わせに対して、前記選択された情報に関連し、前記サービス領域での位置情報を含む関連情報を返信するステップと、を実行させる付記１９に記載のコンピュータ実行可能なプログラム。
（付記２１）  前記コンピュータに、
前記情報群を限定する限定情報を受信するステップと、
その限定情報にしたがい、配信される情報群を限定するステップとをさらに実行させる付記１９に記載のコンピュータ実行可能なプログラム。
（付記２２）  前記関連情報は、複数商品からなる商品群の中から推奨される特定商品を含んでおり、
前記コンピュータに、
商品を供給する供給側のサーバからその供給側の商品を前記特定商品として前記関連情
報に含めて配信する、そのような配信要請を受信するステップと、
前記配信要請に対して所定の選定基準に基づいてその供給側の商品を特定商品とするか否かを決定するステップとをさらに実行させる付記１９に記載のコンピュータ実行可能なプログラム。
（付記２３）  前記コンピュータに、
前記決定するステップにより前記供給側の商品が特定商品とされなかった場合に、前記供給側のサーバにその旨を通知するステップをさらに実行させる付記２２に記載のコンピュータ実行可能なプログラム。
（付記２４）  前記コンピュータに、
前記決定するステップにより特定商品とされた商品に係る情報をその商品の供給側以外の他の商品の供給側のサーバに通知するステップをさらに実行させる付記２３に記載のコンピュータ実行可能なプログラム。
（付記２５）  前記コンピュータに、
前記供給側の商品が特定商品とされる場合に、その特定商品の有効期間を設定するステップと、
前記有効期間が終了する前にその旨を通知するステップとをさらに実行する付記２２に記載のコンピュータ実行可能なプログラム。
【産業上の利用可能性】
【０１１４】
本発明は、広告を配信するサービス等、各種情報機器を利用したサービス産業に利用可能である。
【図面の簡単な説明】
【０１１５】
【図１】図１は、本実施形態のシステム構成を示す図である。
【図２】図２は、本システムにおける商品供給側２と商品販売側４間の通信を伴う処理フローを示す図である。
【図３】図３は、本システムにおける顧客側５と商品販売側４間の通信を伴う処理フローを示す図である。
【図４】図４は、本システムの金銭ルートを示す図である。
【図５】図５は、本システムのエリアマップ情報の一例を示す図である。
【図６】図６は、配信サーバ８から送信された位置情報を反映したエリアマップ情報の一例を示す図である。
【図７】図７は、料理コンテンツデータベースで管理するデータの一例を示す図である。
【図８】図８は、料理−材料群データベースで管理するデータの一例を示す図である。
【図９】図９は、材料−商品データベースで管理するデータの一例を示す図である。
【図１０】図１０は、優先リストデータベースで管理するデータの一例を示す図である。
【図１１】図１１は、エリアマップ情報の構成例を示す図である。
【図１２】図１２は、位置管理データベースで管理するデータの一例を示す図である。
【図１３】図１３は、金額検索データベースで管理するデータの一例を示す図である。
【図１４】図１４は、材料検索データベースで管理するデータの一例を示す図である。
【図１５】図１５は、作り方データベースで管理するデータの一例を示す図である。
【図１６】図１６は、顧客５から配信サーバ８に対して商品の位置情報を問い合わせる際の要求メッセージを示す図である。
【図１７】図１７は、顧客５（一般顧客）からの商品の位置情報の問い合わせに対する配信サーバ８からの応答メッセージを示す図である。
【図１８】図１８は、特定顧客契約をしている顧客（特定顧客）からの商品の位置情報の問い合わせに対する配信サーバ８からの応答メッセージを示す図である。
【図１９】図１９は、特定顧客契約をしている顧客（特定顧客）が配信サーバ８に対してオリジナル商品の位置情報を問い合わせる際の要求メッセージを示す図である。
【図２０】図２０は、特定顧客契約をしている顧客（特定顧客）からの商品の位置情報の問い合わせに対する配信サーバ８からの応答メッセージを示す図である。
【図２１】図２１は、商品提供優先要請のデータ構成を示す図である。
【図２２】図２２は、商品提供優先要請に対する選定結果のデータ構成の一例を示す図である。
【図２３】図２３は、本システム全体の処理フローを示す図である。
【図２４】図２４は、本システムにおける商品販売エリア７を食品エリア（食料品売り場）に適用した場合の処理フローを示す図である。
【図２５】図２５は、商品供給側が一つの商品に対する複数の広告を時間で切替える優先要請をした場合の処理フローを示す図である。
【図２６】図２６は、優先広告の有効時間が経過する際の一連の処理を示す図である。
【図２７】図２７は、顧客５から商品販売側４へ情報を問い合わせる場合を示す図である。
【図２８】図２８は、顧客が絞込み要請をする場合の処理を示す図である。
【図２９】図２９は、本システム全体の通信シーケンスを示す図である。
【図３０】図３０は、顧客５が配信コンテンツの絞込み要請を行った場合の通信シーケンスを示す図である。
【図３１】図３１は、特定顧客に対する処理時の通信シーケンスを示す図である。
【図３２】図３２は、配信コンテンツをブロードキャストした時の通信シーケンスを示す図である。
【図３３】図３３は、商品供給側から商品販売側に対する優先要請時の通信シーケンスを示す図である。
【符号の説明】
【０１１６】
２，３  商品供給側（商品メーカ）
４      商品販売側（販売店）
５      顧客
６      携帯情報端末
７      商品販売エリア
８      配信サーバ
８Ａ    配信要請制御部
８Ｂ    配信制御部
８Ｃ    情報配信機器
８Ｄ    追加サービス
９,１０,１１    各種商品
１２,１３,１４  ルータ
１５    画面
【図１】
2005050219.tif 000003
【図２】
2005050219.tif 000004
【図３】
2005050219.tif 000005
【図４】
2005050219.tif 000006
【図５】
2005050219.tif 000007
【図６】
2005050219.tif 000008
【図７】
2005050219.tif 000009
【図８】
2005050219.tif 000010
【図９】
2005050219.tif 000011
【図１０】
2005050219.tif 000012
【図１１】
2005050219.tif 000013
【図１２】
2005050219.tif 000014
【図１３】
2005050219.tif 000015
【図１４】
2005050219.tif 000016
【図１５】
2005050219.tif 000017
【図１６】
2005050219.tif 000018
【図１７】
2005050219.tif 000019
【図１８】
2005050219.tif 000020
【図１９】
2005050219.tif 000021
【図２０】
2005050219.tif 000022
【図２１】
2005050219.tif 000023
【図２２】
2005050219.tif 000024
【図２３】
2005050219.tif 000025
【図２４】
2005050219.tif 000026
【図２５】
2005050219.tif 000027
【図２６】
2005050219.tif 000028
【図２７】
2005050219.tif 000029
【図２８】
2005050219.tif 000030
【図２９】
2005050219.tif 000031
【図３０】
2005050219.tif 000032
【図３１】
2005050219.tif 000033
【図３２】
2005050219.tif 000034
【図３３】
2005050219.tif 000035